(57)【要約】【課題】光導波路に装着されたとき光導波路と光学部品とを接続してなる光接続体を信頼性の高いものとして実現可能な光コネクター、信頼性の高い光接続体を実現可能な光配線部品、ならびに、信頼性の高い光接続体および電子機器を提供すること。【解決手段】光コネクター５は、コネクター本体５１と、コネクター本体５１の対向面５２（第１外面）と非対向面５３（第２外面）とを貫通し光導波路１を装着可能な載置面を備える貫通孔５０（貫通部）と、貫通孔５０を介して互いに反対の位置に設けられ、クランプばね８２を装着可能なガイド孔５１１ａ（第１クランプ装着部）およびガイド孔５１１ｂ（第２クランプ装着部）と、非対向面５３のうち貫通孔５０とガイド孔５１１ａとの間の領域である第１境界部に少なくとも設けられ、非対向面５３から突出する突出部５４ａと、を有する。【選択図】図４
2018163238.tif 000002
【特許請求の範囲】
【請求項１】
互いに対向する第１外面および第２外面と、
前記第１外面と前記第２外面とを貫通し、光導波路を載置可能な載置面を内面に含む貫通部と、
前記貫通部を介して互いに反対側の位置に設けられ、クランプが装着可能な第１クランプ装着部および第２クランプ装着部と、
前記第２外面が平面視されたときに前記載置面と前記第１クランプ装着部との間に位置する領域である第１境界部に少なくとも設けられ、前記第２外面から突出する突出部と、
を有することを特徴とする光コネクター。
【請求項２】
前記突出部は、前記第１境界部、および、前記第２外面が平面視されたときに前記載置面と前記第２クランプ装着部との間に位置する領域である第２境界部、に少なくとも設けられている請求項１に記載の光コネクター。
【請求項３】
前記突出部は、前記第１境界部と前記第２境界部の双方を含む領域に設けられている請求項２に記載の光コネクター。
【請求項４】
前記第２外面における前記貫通部の開口形状は、前記第１クランプ装着部と前記第２クランプ装着部とを結ぶ線分の延在方向に長軸を有する形状をなしており、
前記突出部は、前記貫通部を介して前記延在方向と交差する方向に並ぶ少なくとも２つの領域に設けられている請求項３に記載の光コネクター。
【請求項５】
前記突出部は、前記貫通部を取り囲む領域に設けられている請求項１ないし３のいずれか１項に記載の光コネクター。
【請求項６】
前記突出部は、前記第１境界部、および、前記第１クランプ装着部と前記第２クランプ装着部とを結ぶ線分の延在方向において前記第１クランプ装着部を介して前記第１境界部とは反対側に位置する領域、にそれぞれ設けられている請求項１ないし５のいずれか１項に記載の光コネクター。
【請求項７】
前記第１クランプ装着部および前記第２クランプ装着部は、それぞれ前記第２外面に開口する開口部である請求項１ないし６のいずれか１項に記載の光コネクター。
【請求項８】
請求項１ないし７のいずれか１項に記載の光コネクターと、
前記載置面に載置されている光導波路と、
を有することを特徴とする光配線部品。
【請求項９】
請求項８に記載の光配線部品と、
前記光導波路と光学的に接続されている光学部品と、
前記第１クランプ装着部および前記第２クランプ装着部に係合することにより、前記光配線部品と前記光学部品とを互いに近づけるように締結するクランプと、
を有することを特徴とする光接続体。
【請求項１０】
請求項９に記載の光接続体を備えることを特徴とする電子機器。
【発明の詳細な説明】
【技術分野】
【０００１】
本発明は、光コネクター、光配線部品、光接続体および電子機器に関するものである。
【背景技術】
【０００２】
電気配線を光配線に置き換えることにより、通信の高速化、大容量化、低消費電力化等を図ることが期待されている。
【０００３】
電子機器内のボード間通信といった比較的短距離の光通信には、光配線として光導波路が用いられている。
【０００４】
このような電子機器を組み立てる際には、光導波路同士を接続する作業が含まれる。この作業では、光コネクターが用いられることにより、光導波路同士を接続する作業の効率を高めることができる。具体的には、光導波路の端部に光コネクターを装着したコネクター付き光導波路を用いる。そして、コネクター同士を突き合わせることによって、光導波路同士の光学的接続を図る。その後、コネクター同士を締結することにより、光学的接続が完了する。
【０００５】
特許文献１には、光コネクターの先端側端面を対峙させ、帯状光導波路の光接続面同士を当接させた状態にした後、クランプばねを用いて光コネクター同士を連結固定することが開示されている。クランプばねは、２つの光コネクターの外面にそれぞれ係合し、これらを互いに近づける方向へ付勢する。
【先行技術文献】
【特許文献】
【０００６】
【特許文献１】特開２０１２−１１３１７７号公報
【発明の概要】
【発明が解決しようとする課題】
【０００７】
クランプばねには、十分な弾性力が求められるため、例えば金属ばねが用いられる。金属ばねは、薄い金属板を曲げて作られるため、端面が鋭く、柔らかい物体に触れるとキズが付き易い。例えば、クランプばねを光コネクターに取り付ける際、クランプばねの位置がずれると、光導波路に当たってしまうことがある。このとき、光導波路にキズが付いてしまうと、光導波路の伝送効率が低下し、信頼性が低下するおそれがある。
【０００８】
本発明の目的は、光導波路に装着されたとき光導波路と光学部品とを接続してなる光接続体を信頼性の高いものとして実現可能な光コネクター、信頼性の高い光接続体を実現可能な光配線部品、ならびに、信頼性の高い光接続体および電子機器を提供することにある。
【課題を解決するための手段】
【０００９】
このような目的は、下記（１）〜（１０）の本発明により達成される。
（１）  互いに対向する第１外面および第２外面と、
前記第１外面と前記第２外面とを貫通し、光導波路を載置可能な載置面を内面に含む貫通部と、
前記貫通部を介して互いに反対側の位置に設けられ、クランプが装着可能な第１クランプ装着部および第２クランプ装着部と、
前記第２外面が平面視されたときに前記載置面と前記第１クランプ装着部との間に位置する領域である第１境界部に少なくとも設けられ、前記第２外面から突出する突出部と、
を有することを特徴とする光コネクター。
【００１０】
（２）  前記突出部は、前記第１境界部、および、前記第２外面が平面視されたときに前記載置面と前記第２クランプ装着部との間に位置する領域である第２境界部、に少なくとも設けられている上記（１）に記載の光コネクター。
【００１１】
（３）  前記突出部は、前記第１境界部と前記第２境界部の双方を含む領域に設けられている上記（２）に記載の光コネクター。
【００１２】
（４）  前記第２外面における前記貫通部の開口形状は、前記第１クランプ装着部と前記第２クランプ装着部とを結ぶ線分の延在方向に長軸を有する形状をなしており、
前記突出部は、前記貫通部を介して前記延在方向と交差する方向に並ぶ少なくとも２つの領域に設けられている上記（３）に記載の光コネクター。
【００１３】
（５）  前記突出部は、前記貫通部を取り囲む領域に設けられている上記（１）ないし（３）のいずれかに記載の光コネクター。
【００１４】
（６）  前記突出部は、前記第１境界部、および、前記第１クランプ装着部と前記第２クランプ装着部とを結ぶ線分の延在方向において前記第１クランプ装着部を介して前記第１境界部とは反対側に位置する領域、にそれぞれ設けられている上記（１）ないし（５）のいずれかに記載の光コネクター。
【００１５】
（７）  前記第１クランプ装着部および前記第２クランプ装着部は、それぞれ前記第２外面に開口する開口部である上記（１）ないし（６）のいずれかに記載の光コネクター。
【００１６】
（８）  上記（１）ないし（７）のいずれかに記載の光コネクターと、
前記載置面に載置されている光導波路と、
を有することを特徴とする光配線部品。
【００１７】
（９）  上記（８）に記載の光配線部品と、
前記光導波路と光学的に接続されている光学部品と、
前記第１クランプ装着部および前記第２クランプ装着部に係合することにより、前記光配線部品と前記光学部品とを互いに近づけるように締結するクランプと、
を有することを特徴とする光接続体。
（１０）  上記（９）に記載の光接続体を備えることを特徴とする電子機器。
【発明の効果】
【００１８】
本発明によれば、光導波路に装着されたとき光導波路と光学部品とを接続してなる光接続体を信頼性の高いものとして実現可能な光コネクターが得られる。
【００１９】
また、本発明によれば、信頼性の高い光接続体を実現可能な光配線部品が得られる。
また、本発明によれば、信頼性の高い光接続体および電子機器が得られる。
【図面の簡単な説明】
【００２０】
【図１】本発明の光配線部品の第１実施形態と接続相手の光学部品とを接続して本発明の光接続体の第１実施形態を作製する様子を示す側面図である。
【図２】本発明の光配線部品の第１実施形態と接続相手の光学部品とを接続して本発明の光接続体の第１実施形態を作製する様子を示す側面図である。
【図３】図１、２に示すようにして作製された本発明の光接続体の第１実施形態を示す側面図である。
【図４】図２に示す本発明の光接続体の第１実施形態を作製する様子を示す斜視図である。
【図５】図３に示す光接続体の斜視図である。
【図６】図４に示す光配線部品の断面図である。
【図７】図５に示す光接続体のうちコネクター本体の非対向面を平面視したときの図である。
【図８】図７のＡ−Ａ線断面図である。
【図９】図７に示す光配線部品のうち突出部以外を示す図である。
【図１０】図７に示す光配線部品および光コネクターの変形例を示す図である。
【図１１】本発明の光配線部品の第２実施形態の非対向面を平面視したときの図である。
【図１２】本発明の光配線部品の第３実施形態の非対向面を平面視したときの図である。
【図１３】本発明の光配線部品の第４実施形態の非対向面を平面視したときの図である。
【図１４】本発明の光配線部品の第５実施形態の非対向面を平面視したときの図である。
【発明を実施するための形態】
【００２１】
以下、本発明の光コネクター、光配線部品、光接続体および電子機器について添付図面に示す好適実施形態に基づいて詳細に説明する。
【００２２】
≪第１実施形態≫
＜光接続体＞
まず、本発明の光接続体の第１実施形態と、それに含まれる本発明の光配線部品の第１実施形態と、さらにそれに含まれる本発明の光コネクターの第１実施形態と、について説明する。
【００２３】
図１、２は、それぞれ、本発明の光配線部品の第１実施形態と接続相手の光学部品とを接続して本発明の光接続体の第１実施形態を作製する様子を示す側面図である。また、図３は、図１、２に示すようにして作製された本発明の光接続体の第１実施形態を示す側面図である。
【００２４】
図１に示す光配線部品１０は、光導波路１と、光導波路１の端部に設けられた光コネクター５（本発明の光コネクターの実施形態）と、を有している。なお、本発明における光導波路とは、例えばポリマー製、ガラス製またはシリコン製であって、シート状に成膜されてなる光伝送部材のことのみでなく、例えばポリマー製またはガラス製の複数本の光ファイバーを帯状に束ねてなる光ファイバーアレイも含む。
【００２５】
一方、図１に示す光配線部品９は、光配線部品１０の接続相手となる光学部品である。図１に示す光配線部品９は、光導波路９１とその端部に設けられた光コネクター９２とを有するコネクター付き光導波路であるが、接続相手となる光学部品はこれに限定されず、光配線部品１０と光学的に接続可能な光学部品であればいかなるものであってもよい。例えばコネクター付き光ファイバーであってもよく、受発光素子であってもよい。
【００２６】
光配線部品１０と光配線部品９との位置合わせには、ガイドピン８１が用いられる。このガイドピン８１は、光配線部品１０の光コネクター５に設けられたガイド孔と、光配線部品９の光コネクター９２に設けられたガイド孔の双方に差し込まれる。これにより、光配線部品１０と光配線部品９との位置合わせ（調芯）を行うことができる。この位置合わせとは、光導波路１の光入出射面（一般的には端面）と、光導波路９１の光入出射面と、を突き合わせること（光軸を合わせること）をいう。
【００２７】
このようにして光配線部品１０と光配線部品９とを接続することにより、光導波路１と光導波路９１とが光学的に接続される。
【００２８】
なお、この状態では、光コネクター５と光コネクター９２との接続状態を保持できないため、外力を付与して光コネクター５と光コネクター９２とを互いに押し付ける必要がある。
そこで、図２に示すクランプばね８２を装着する。
【００２９】
図２に示すクランプばね８２は、平板部８２１と、平板部８２１の両端に設けられた一対の屈曲部８２２ａ、８２２ｂと、を備えている。屈曲部８２２ａ、８２２ｂは、それぞれ平板部８２１の一方の面側に向かって屈曲している。そして、屈曲部８２２ａと屈曲部８２２ｂとを互いに離すように外力を付与すると、クランプばね８２のばね弾性によって屈曲部８２２ａと屈曲部８２２ｂとが互いに近づく方向へ反発力が発生する。
【００３０】
よって、図２に白抜き矢印で示すように、屈曲部８２２ａと屈曲部８２２ｂとの間に光コネクター５および光コネクター９２を配置すると、屈曲部８２２ａおよび屈曲部８２２ｂの反発力によって、光コネクター５と光コネクター９２とを互いに押し付ける方向に外力を付与し続ける。
【００３１】
その結果、図３に示す光接続体１００が得られる。このような光接続体１００では、クランプばね８２の作用によって、光コネクター５と光コネクター９２とが互いに押し付けられ（締結され）、それに伴って、光導波路１と光導波路９１とが互いに押し付けられる。このため、光導波路１と光導波路９１との間に隙間が生じ難くなり、光結合損失の低下が図られる。
【００３２】
なお、ガイドピン８１の構成材料としては、例えば金属材料、セラミックス材料、樹脂材料等が挙げられる。
【００３３】
一方、クランプばね８２の構成材料としては、例えば金属材料、樹脂材料等が挙げられる。
【００３４】
＜光配線部品＞
次に、光配線部品１０について説明する。
【００３５】
図４は、図２に示す本発明の光接続体の第１実施形態を作製する様子を示す斜視図である。また、図５は、図３に示す光接続体１００の斜視図である。また、図６は、図４に示す光配線部品１０の断面図である。
【００３６】
図４に示す光配線部品１０は、前述したように、光導波路１と、光導波路１の端部に設けられた光コネクター５と、を有している。
【００３７】
（光コネクター）
光コネクター５は、コネクター本体５１と、コネクター本体５１に形成された貫通孔５０（貫通部）と、を備えている。そして、この貫通孔５０内に光導波路１の先端部１０１が挿入されている。
【００３８】
図６における光コネクター５の右端面は、光配線部品１０を光配線部品９と接続するときに光配線部品９に対向する面となる。本明細書では、この光コネクター５の右端面を「対向面５２」といい、左端面を「非対向面５３」という。
【００３９】
貫通孔５０は、コネクター本体５１の対向面５２（第１外面）と、非対向面５３（第２外面）と、を貫通するように形成されている。また、貫通孔５０は、その長手方向に直交する方向に沿って切断されたとき、長方形をなす切断面を有するように構成されている。
【００４０】
コネクター本体５１の外形状は、特に限定されず、図４に示すような直方体に準じた形状であっても、それ以外の形状であってもよい。また、コネクター本体５１は、各種コネクター規格に準拠した部位を含んでいてもよい。かかるコネクター規格としては、例えば小型（Ｍｉｎｉ）ＭＴコネクター、ＪＩＳ  Ｃ  ５９８１に規定されたＭＴコネクター、１６ＭＴコネクター、２次元配列型ＭＴコネクター、ＭＰＯコネクター、ＭＰＸコネクター等が挙げられる。
【００４１】
また、コネクター本体５１には、図４に示すように、ガイド孔５１１ａ（第１クランプ装着部）およびガイド孔５１１ｂ（第２クランプ装着部）が形成されている。このガイド孔５１１ａ、５１１ｂは、コネクター本体５１の対向面５２内および非対向面５３内にそれぞれ開口している。すなわち、２つのガイド孔５１１ａ、５１１ｂは、それぞれ対向面５２と非対向面５３とを繋ぐように貫通している。
【００４２】
また、ガイド孔５１１ａおよびガイド孔５１１ｂは、貫通孔５０を介して互いに反対の位置に設けられている。
【００４３】
これらのガイド孔５１１ａ、５１１ｂには、光配線部品１０を光配線部品９と接続する際、前述したガイドピン８１が挿入される（図１参照）。
【００４４】
また、これらのガイド孔５１１ａ、５１１ｂのうち、非対向面５３側の開口は、前述したクランプばね８２の屈曲部８２２ａ、８２２ｂの一部が挿入される（図５参照）。すなわち、ガイド孔５１１ａおよびガイド孔５１１ｂの非対向面５３側の開口は、クランプばね８２を装着するための第１クランプ装着部および第２クランプ装着部となる。これらのガイド孔５１１ａ、５１１ｂに屈曲部８２２ａ、８２２ｂを嵌める（係合させる）だけでクランプばね８２が装着されるので、装着作業が容易になる。このようにして、クランプばね８２が光コネクター５に対して固定され、光コネクター５に対してクランプばね８２がずれ難くなるので、締結された状態がより確実に維持される。
【００４５】
貫通孔５０の横断面形状（開口同士を結ぶ線と直交する方向での切断面形状）は、前述したような長方形に限定されず、正方形であってもよく、平行四辺形、六角形、八角形、長円形のようなその他の形状であってもよい。
【００４６】
また、図６に示す光コネクター５では、貫通孔５０の高さや幅が一定であるが、対向面５２側から非対向面５３側に向かうにつれて徐々に高さが高くなるような形状であってもよい。
【００４７】
コネクター本体５１の構成材料としては、例えば、フェノール系樹脂、エポキシ系樹脂、オレフィン系樹脂、尿素系樹脂、メラミン系樹脂、不飽和ポリエステル系樹脂、ポリフェニレンサルファイド系樹脂のような各種樹脂材料、ステンレス鋼、アルミニウム合金のような各種金属材料等が挙げられる。
【００４８】
光導波路１の先端部１０１は、貫通孔５０の下面５０１および上面５０２に対して接着剤６を介して接着されている。すなわち、光導波路１は、下面５０１および上面５０２に載置されている。これにより、光導波路１は、貫通孔５０に挿入された状態で固定される。その結果、光導波路１を外力等から保護することができるので、光導波路１を把持し易くなるとともに、光配線部品１０の信頼性を高めることができる。
【００４９】
なお、本明細書では、貫通孔５０の下面５０１のうち、光導波路１が載置されている部分を特に「載置面５０１ａ」という。同様に、貫通孔５０の上面５０２のうち、光導波路１が載置されている部分を特に「載置面５０２ａ」という。
【００５０】
次に、光コネクター５についてさらに詳述する。
図７は、図５に示す光接続体１００のうちコネクター本体５１の非対向面５３を平面視したときの図である。また、図８は、図７のＡ−Ａ線断面図である。また、図９は、図７に示す光配線部品１０のうち突出部５４ａ、５４ｂ以外を示す図である。
【００５１】
光接続体１００では、図５に示すように、クランプばね８２によって光コネクター５と光コネクター９２とを締結する。このとき、図８に示すように、クランプばね８２の屈曲部８２２ａの一部がガイド孔５１１ａ、５１１ｂに挿入される。また、図示しないものの、屈曲部８２２ｂの一部については、光コネクター９２に設けられているガイド孔に挿入される。このようにしてクランプばね８２の屈曲部８２２ａの一部がガイド孔５１１ａ、５１１ｂに入り込むことにより、非対向面５３内における位置ずれが規制される。その結果、締結された状態が維持される。
【００５２】
クランプばね８２の屈曲部８２２ａをガイド孔５１１ａ、５１１ｂまで移動させるには、例えば、図４に示すように、光導波路１の一方の主面側（図４では下方）からクランプばね８２を接近させ、屈曲部８２２ａを非対向面５３上に乗せるとともに、ガイド孔５１１ａ、５１１ｂまで滑らせる。非対向面５３上に屈曲部８２２ａが乗っているときには、クランプばね８２の屈曲部８２２ａと屈曲部８２２ｂとが互いに引き離される一方、屈曲部８２２ａと屈曲部８２２ｂとが互いに近づく方向に反発力が発生する。
【００５３】
そして、屈曲部８２２ａがガイド孔５１１ａ、５１１ｂまで到達すると、屈曲部８２２ａの一部がガイド孔５１１ａ、５１１ｂ内に落ち込む。これにより、前述した反発力に基づいて、屈曲部８２２ａと屈曲部８２２ｂとが互いに近づくように変形する。その結果、屈曲部８２２ａがガイド孔５１１ａ、５１１ｂに係合し、その後の位置ずれが規制される。
このような締結作業は、例えば作業者の手作業で行われることが多い。
【００５４】
ところが、作業者が力の入れ方を誤ったときには、屈曲部８２２ａを誤った方向へ滑らせてしまうおそれがある。このとき、屈曲部８２２ａが光導波路１に接触する可能性がある。クランプばね８２は、通常、金属材料で構成されているため、硬度が高い。このため、クランプばね８２の縁によって光導波路１が損傷し、光導波路１の光伝送性が損なわれるおそれがある。
【００５５】
そこで、本実施形態に係る光コネクター５は、図７に示すように、コネクター本体５１の非対向面５３から突出する突出部５４ａ、５４ｂを備えている。図７、９では、図示の便宜のため、光導波路１に相対的に密なドットを付し、図７では、突出部５４ａ、５４ｂに相対的に疎なドットを付している。なお、図９では、突出部５４ａ、５４ｂの図示を省略している。また、図７、９では、ガイド孔５１１ａとガイド孔５１１ｂとを結ぶ線分の延在方向をＸ軸方向とし、非対向面５３の面内においてＸ軸と直交する方向をＹ軸方向とする。
【００５６】
このうち、突出部５４ａは、図７に示すように、非対向面５３（第２外面）が平面視されたとき、載置面５０１ａ、５０２ａとガイド孔５１１ａ（第１クランプ装着部）との間の領域に設けられている。一方、突出部５４ｂは、図７に示すように、載置面５０１ａ、５０２ａとガイド孔５１１ｂ（第２クランプ装着部）との間の領域に設けられている。このような突出部５４ａ、５４ｂを設けることにより、クランプばね８２を装着する作業者が、誤って屈曲部８２２ａを光導波路１側に滑らせてしまったときでも、屈曲部８２２ａが光導波路１に接触するのを防止することができる。すなわち、屈曲部８２２ａは、突出部５４ａ、５４ｂにブロックされることによって、それ以上光導波路１側へ移動することができない。このため、光導波路１と屈曲部８２２ａとが接触することが防止され、光導波路１に損傷が及ぶのを防止することができる。
【００５７】
よって、光コネクター５は、光導波路１に装着されて光配線部品１０が得られたとき、光配線部品１０と光配線部品９とを接続してなる光接続体１００を信頼性の高いものとして実現可能なものとなる。
【００５８】
本実施形態に係る突出部５４ａは、前述したように、非対向面５３が平面視されたとき、載置面５０１ａ、５０２ａとガイド孔５１１ａとの間の領域に設けられているが、この領域は、図９に斜線で示す「第１境界部５３１ａ」の少なくとも一部を含む領域であればよい。つまり、突出部５４ａが設けられている領域は、第１境界部５３１ａ全体を含む領域であってもよいし、第１境界部５３１ａの一部のみを含む領域であってもよい。
【００５９】
なお、第１境界部５３１ａとは、非対向面５３を平面視したとき、載置面５０１ａ、５０２ａとガイド孔５１１ａとの間に位置する領域のことをいう。より具体的には、Ｘ軸方向において載置面５０１ａ、５０２ａとガイド孔５１１ａとの間であり、かつ、非対向面５３のＹ軸方向の全域にわたる領域のことをいう。このような第１境界部５３１ａに突出部５４ａを設けることによって、屈曲部８２２ａの光導波路１側への意図しない移動を防止することができる。
【００６０】
一方、本実施形態に係る突出部５４ｂも、前述したように、非対向面５３が平面視されたとき、図９に斜線で示す「第２境界部５３１ｂ」の少なくとも一部を含む領域であればよい。つまり、突出部５４ｂが設けられている領域は、第２境界部５３１ｂ全体を含む領域であってもよいし、第２境界部５３１ｂの一部のみを含む領域であってもよい。
【００６１】
なお、第２境界部５３１ｂも、非対向面５３を平面視したとき、載置面５０１ａ、５０２ａとガイド孔５１１ｂとの間に位置する領域のことをいう。より具体的には、Ｘ軸方向において載置面５０１ａ、５０２ａとガイド孔５１１ｂとの間であり、かつ、非対向面５３のＹ軸方向の全域にわたる領域のことをいう。このような第２境界部５３１ｂに突出部５４ｂを設けることによって、屈曲部８２２ａの光導波路１側への意図しない移動を防止することができる。
【００６２】
また、本実施形態に係る突出部５４ａ、５４ｂは、図７に示すように、非対向面５３のうちＹ軸方向の全域にわたって設けられているが、Ｙ軸方向の一部のみに設けられていてもよい。後者の場合、前述した第１境界部５３１ａおよび第２境界部５３１ｂのうち、ガイド孔５１１ａとガイド孔５１１ｂとを結ぶ線分上に突出部５４ａ、５４ｂが位置するように設けられるのが好ましい。これにより、より確実に光導波路１を保護することができる。
【００６３】
また、突出部５４ａ、５４ｂのうち、いずれか一方は省略されてもよい。なお、第１境界部５３１ａに突出部５４ａを設け、第２境界部５３１ｂに突出部５４ｂを設けることによって、ガイド孔５１１ａとガイド孔５１１ｂの双方から屈曲部８２２ａがずれてしまうのを抑制し、光導波路１の幅の両端を損傷から保護することができる。このため、より信頼性の高い光接続体１００が得られる。
【００６４】
突出部５４ａ、５４ｂの幅（Ｘ軸方向の長さ）は、特に限定されないが、屈曲部８２２ａによって押圧されても損傷しない程度の機械的強度を有するように、構成材料等も考慮して適宜設定される。一例としては、光コネクター５の大きさにもよるが、０．３ｍｍ以上であるのが好ましく、０．５ｍｍ以上１００ｍｍ以下であるのがより好ましい。
【００６５】
また、突出部５４ａ、５４ｂの高さｈ（図６参照）は、できるだけ高い方が効果を発揮し易いものの、機械的強度の低下とのバランスを考慮して適宜設定される。一例としては、０．３ｍｍ以上１０ｍｍ以下であるのが好ましく、０．５ｍｍ以上５ｍｍ以下であるのがより好ましい。これにより、突出部５４ａ、５４ｂによって光導波路１を十分に保護することができ、かつ、突出部５４ａ、５４ｂの機械的強度の低下を抑えることができる。
【００６６】
また、貫通孔５０の幅（Ｘ軸方向の長さ）は、光導波路１の幅（Ｘ軸方向の長さ）と同じであってもよいが、光導波路１の幅よりも広く設定されるのが好ましい。これにより、光導波路１の先端部１０１の側面と貫通孔５０の内面との間に隙間を設けることができる。その結果、この空間に接着剤６のはみ出しを許容することができる。その結果、あふれ出た接着剤６が光導波路１の光入出射面に回り込むのを抑制することができる。
【００６７】
また、ガイド孔５１１ａ、５１１ｂは、ガイドピン８１を挿入することによって調芯することができるが、ガイドピン８１およびガイド孔５１１ａ、５１１ｂ以外の調芯機構、例えば互いの外表面に係合することによって調芯する機構で代替されてもよい。
【００６８】
さらに、ガイド孔５１１ａ、５１１ｂは、それぞれクランプばね８２を装着するためのクランプ装着部としても用いられるが、クランプ装着部の構造はこれに限定されない。例えば、非対向面５３の一部を凹没させてなる凹部もクランプ装着部になり得る。
【００６９】
なお、クランプばね８２も、それ以外のクランプ、例えばネジ止めや爪による係止を利用して締結するクランプによって代替可能である。
【００７０】
以上のような光コネクター５と光導波路１とを備える光配線部品１０は、クランプばね８２を用いて光配線部品９と接続されるとき、光導波路１の損傷が防止されるため、信頼性の高い光接続体１００が得られる。
【００７１】
また、このような光配線部品１０と、接続相手の光学部品の一例である光配線部品９と、ガイド孔５１１ａ、５１１ｂに係合することによって光配線部品１０と光配線部品９とを互いに近づけるように締結するクランプばね８２と、を有する光接続体１００は、光伝送効率および光結合効率が高く、信頼性が高いものとなる。
【００７２】
（変形例）
図１０は、図７に示す光配線部品１０および光コネクター５の変形例を示す図である。なお、本変形例は、下記の事項が異なる以外、図７に示す光配線部品１０および光コネクター５と同様である。
【００７３】
本変形例に係る光コネクター５は、図１０に示すように、図７に示す貫通孔５０の上面５０２側（図６参照）が除去され、溝５０’（貫通部）になっている以外、図７に示す光コネクター５と同様である。
【００７４】
なお、この溝５０’も、貫通孔５０と同様、コネクター本体５１の対向面５２（第１外面）と、非対向面５３（第２外面）と、を貫通するように形成されている。
【００７５】
また、図示しないものの、溝５０’は、必要に応じて蓋体で塞がれ、結果的に貫通孔５０と同様のものになっていてもよい。
以上のような変形例においても、同様の効果が得られる。
【００７６】
≪第２実施形態≫
次に、本発明の光配線部品の第２実施形態および本発明の光コネクターの第２実施形態について説明する。
【００７７】
図１１は、本発明の光配線部品の第２実施形態の非対向面を平面視したときの図である。なお、図１１では、図示の便宜のため、光導波路１には相対的に密なドットを付し、突出部５４ａ、５４ｂには相対的に疎なドットを付している。また、図１１では、ガイド孔５１１ａとガイド孔５１１ｂとを結ぶ線分の延在方向をＸ軸方向とし、非対向面５３の面内においてＸ軸と直交する方向をＹ軸方向とする。
【００７８】
以下、第２実施形態について説明するが、以下の説明では、第１実施形態との相違点を中心に説明し、同様の事項についてはその説明を省略する。なお、図１１において、前述した実施形態と同様の構成については、同一符号を付している。
【００７９】
第２実施形態に係る光コネクター５は、突出部の形状が異なる以外、第１実施形態に係る光コネクター５と同様である。
【００８０】
図１１に示す光コネクター５は、突出部５４ｃ、５４ｄを備えている。
このうち、突出部５４ｃは、非対向面５３のうち、第１境界部５３１ａと第２境界部５３１ｂの双方にまたがる領域に設けられている。このような突出部５４ｃは、非対向面５３のうち、貫通孔５０の上面５０２側に位置している。
【００８１】
一方、突出部５４ｄも、非対向面５３のうち、第１境界部５３１ａと第２境界部５３１ｂの双方にまたがる領域に設けられている。そして、突出部５４ｄは、非対向面５３のうち、貫通孔５０の下面５０１側に位置している。
【００８２】
このように突出部５４ｃ、５４ｄが、それぞれ第１境界部５３１ａと第２境界部５３１ｂの双方を含む領域に設けられていることで、その面積を十分に広く確保することができる。このため、突出部５４ｃ、５４ｄの機械的強度が高くなるため、光コネクター５が小型である場合でも、突出部５４ｃ、５４ｄがより損傷し難くなる。
【００８３】
また、第１境界部５３１ａと第２境界部５３１ｂの双方にまたがる領域に設けることで、１つの突出部５４ｃで、ガイド孔５１１ａ（第１クランプ装着部）とガイド孔５１１ｂ（第２クランプ装着部）の双方から屈曲部８２２ａがずれてしまうのを抑制し、光導波路１の幅の両端を損傷から保護することができる。このため、突出部５４ｃの構造の簡素化が図られ、光コネクター５の製造が容易になる。
【００８４】
換言すると、突出部５４ｃ、５４ｄは、貫通孔５０を介して、Ｙ軸方向に並ぶ２つの領域にそれぞれ設けられている。図１１に示す貫通孔５０は、Ｘ軸方向に長軸を有する形状をなしているため、非対向面５３においては、貫通孔５０を挟んでＹ軸方向の両側に広いスペースが生じる。このため、このスペースに突出部５４ｃ、５４ｄを配置することによって、突出部５４ｃ、５４ｄにそれぞれ広い面積を確保させることができる。その結果、突出部５４ｃ、５４ｄの機械的強度がより高くなり、突出部５４ｃ、５４ｄがより損傷し難くなる。
【００８５】
また、突出部５４ｃ、５４ｄは、光導波路１を幅方向において覆うように設けられることとなる。このため、光導波路１がそのいずれかの主面側に折り曲げられたときでも、損傷を伴うような急激な折れ曲がりが発生するのを抑制することができる。すなわち、光導波路１が折り曲げられたとき、突出部５４ｃ、５４ｄのいずれかに当たることによって、それ以上の折れ曲がりが抑制される。その結果、光導波路１に損傷が発生するのを抑制することができる。
【００８６】
なお、突出部５４ｃと突出部５４ｄとの間隔は、図１１に示すように一定であってもよいが、部分的に変化していてもよい。例えば、光導波路１の延在方向（図１１の紙面厚さ方向）に沿って間隔が徐々に変化していてもよい。
また、突出部５４ｃ、５４ｄのいずれか一方は省略されてもよい。
【００８７】
また、突出部５４ｃ、５４ｄのＹ軸方向における長さは、特に限定されず、図１１に示す長さよりも短くてもよい。
【００８８】
また、突出部５４ｃ、５４ｄに加え、さらに別の突出部が設けられていてもよい。例えば、突出部５４ｃまたは突出部５４ｄがＸ軸方向またはＹ軸方向において複数に分割され、結果的に突出部の数が増えてもよい。
以上のような第２実施形態においても第１実施形態と同様の効果が得られる。
【００８９】
≪第３実施形態≫
次に、本発明の光配線部品の第３実施形態および本発明の光コネクターの第３実施形態について説明する。
【００９０】
図１２は、本発明の光配線部品の第３実施形態の非対向面を平面視したときの図である。なお、図１２では、図示の便宜のため、光導波路１には相対的に密なドットを付し、突出部５４ｅには相対的に疎なドットを付している。
【００９１】
以下、第３実施形態について説明するが、以下の説明では、前述した実施形態との相違点を中心に説明し、同様の事項についてはその説明を省略する。なお、図１２において、前述した実施形態と同様の構成については、同一符号を付している。
【００９２】
第３実施形態に係る光コネクター５は、突出部の形状が異なる以外、第１、第２実施形態に係る光コネクター５と同様である。
図１２に示す光コネクター５は、突出部５４ｅを備えている。
【００９３】
突出部５４ｅは、非対向面５３のうち、第１境界部５３１ａと第２境界部５３１ｂの双方にまたがる領域であり、かつ、貫通孔５０を取り囲む領域に設けられている。このような突出部５４ｅは、全方位において光導波路１を保護することができるので、屈曲部８２２ａの接触のみでなく、意図しない方向から異物が接触することが抑制される。その結果、光導波路１をより確実に保護することができる。
【００９４】
また、突出部５４ｅは、機械的強度が特に高いものとなるため、突出部５４ｅがより損傷し難くなる。
以上のような第３実施形態においても第１、第２実施形態と同様の効果が得られる。
【００９５】
≪第４実施形態≫
次に、本発明の光配線部品の第４実施形態および本発明の光コネクターの第４実施形態について説明する。
【００９６】
図１３は、本発明の光配線部品の第４実施形態の非対向面を平面視したときの図である。なお、図１３では、図示の便宜のため、光導波路１には相対的に密なドットを付し、突出部５４ｅ、５４ｆ、５４ｇには相対的に疎なドットを付している。
【００９７】
以下、第４実施形態について説明するが、以下の説明では、前述した実施形態との相違点を中心に説明し、同様の事項についてはその説明を省略する。なお、図１３において、前述した実施形態と同様の構成については、同一符号を付している。
【００９８】
第４実施形態に係る光コネクター５は、突出部の形状が異なる以外、第３実施形態に係る光コネクター５と同様である。
【００９９】
図１３に示す光コネクター５は、図１２と同様の突出部５４ｅに加え、突出部５４ｆ、５４ｇを備えている。
【０１００】
突出部５４ｆは、非対向面５３のうち、図１３に示すガイド孔５１１ａ（第１クランプ装着部）よりも右側の領域、すなわち、Ｘ軸方向においてガイド孔５１１ａを介して第１境界部５３１ａとは反対側に位置する領域に設けられている。
【０１０１】
一方、突出部５４ｇは、非対向面５３のうち、図１３に示すガイド孔５１１ｂ（第２クランプ装着部）よりも左側の領域、すなわち、Ｘ軸方向においてガイド孔５１１ｂを介して第２境界部５３１ｂとは反対側に位置する領域に設けられている。
【０１０２】
よって、これらの突出部５４ｅ、５４ｆ、５４ｇは、第１境界部５３１ａと、ガイド孔５１１ａを介してそれとは反対側に位置する領域と、にそれぞれ設けられているとともに、第２境界部５３１ｂと、ガイド孔５１１ｂを介してそれとは反対側に位置する領域と、にそれぞれ設けられていることとなる。
【０１０３】
以上のような突出部５４ｅ、５４ｆ、５４ｇを備える光コネクター５においては、第３実施形態と同様の作用、効果が得られるのに加え、クランプばね８２の装着を容易にする効果も付与される。
【０１０４】
すなわち、クランプばね８２の屈曲部８２２ａを非対向面５３上に乗せ、ガイド孔５１１ａ、５１１ｂまで滑らせるとき、クランプばね８２の移動経路が突出部５４ｅと突出部５４ｆとの間の凹み（溝）および突出部５４ｅと突出部５４ｇとの間の凹み（溝）でそれぞれ案内される。このため、クランプばね８２の屈曲部８２２ａが光導波路１側へずれてしまうのを防止するだけでなく、その反対側へずれてしまうのも防止することができる。その結果、クランプばね８２による締結作業をより効率よく行うことができる。
【０１０５】
なお、突出部５４ｆ、５４ｇのうち、いずれか一方は省略されてもよい。
以上のような第４実施形態においても第１〜第３実施形態と同様の効果が得られる。
【０１０６】
≪第５実施形態≫
次に、本発明の光配線部品の第５実施形態および本発明の光コネクターの第５実施形態について説明する。
【０１０７】
図１４は、本発明の光配線部品の第５実施形態の非対向面を平面視したときの図である。なお、図１４では、図示の便宜のため、光導波路１には相対的に密なドットを付し、突出部５４ｈには相対的に疎なドットを付している。
【０１０８】
以下、第５実施形態について説明するが、以下の説明では、前述した実施形態との相違点を中心に説明し、同様の事項についてはその説明を省略する。なお、図１４において、前述した実施形態と同様の構成については、同一符号を付している。
【０１０９】
第５実施形態に係る光コネクター５は、突出部の形状が異なる以外、第４実施形態に係る光コネクター５と同様である。
【０１１０】
図１４に示す光コネクター５は、突出部５４ｈを備えている。
この突出部５４ｈは、図１３に示す突出部５４ｅ、５４ｆ、５４ｇと同じ領域に加え、突出部５４ｅと突出部５４ｆとを繋ぐ領域および突出部５４ｅと突出部５４ｇとを繋ぐ領域にも設けられている。つまり、突出部５４ｈは、これらの領域にわたって連続的に延在している。その結果、突出部５４ｈは、非対向面５３のうち、ガイド孔５１１ａ、５１１ｂの周辺を除く全部を覆うように設けられている。換言すれば、ガイド孔５１１ａ、５１１ｂの周辺のみに非対向面５３が露出している。
【０１１１】
このような光コネクター５では、ガイド孔５１１ａ、５１１ｂの周辺に露出している非対向面５３が、突出部５４ｈで取り囲まれている。このため、非対向面５３は、ガイド孔５１１ａ、５１１ｂよりも大面積の凹部として存在することになり、クランプばね８２の屈曲部８２２ａをガイド孔５１１ａ、５１１ｂまで滑らせるとき、予備的に屈曲部８２２ａを捉えることができる。その結果、屈曲部８２２ａをガイド孔５１１ａ、５１１ｂまでより容易に案内することができる。
以上のような第５実施形態においても第１〜第４実施形態と同様の効果が得られる。
【０１１２】
＜電子機器＞
上述したような本発明の光接続体は、前述したように、光配線部品と接続相手の光学部品との接続にあたって光導波路の損傷が発生し難いため、信頼性の高いものとなる。したがって、本発明の光接続体を備えることにより、高品質の光通信を行い得る信頼性の高い電子機器（本発明の電子機器）が得られる。
【０１１３】
本発明の光接続体を備える電子機器としては、例えば、スマートフォン、タブレット端末、携帯電話、ゲーム機、ルーター装置、ＷＤＭ装置、パソコン、テレビ、ホーム・サーバー等の電子機器類が挙げられる。これらの電子機器では、いずれも、例えばＬＳＩ等の演算装置とＲＡＭ等の記憶装置との間で、大容量のデータを高速に伝送する必要がある。したがって、このような電子機器が本発明の光接続体を備えることにより、電気配線に特有なノイズ、信号劣化等の不具合が解消され、その性能の飛躍的な向上が期待できる。
【０１１４】
また、光導波路部分では、電気配線に比べて発熱量が大幅に削減される。このため、冷却に要する電力を削減することができ、電子機器全体の消費電力を削減することができる。
【０１１５】
以上、本発明の光コネクター、光配線部品、光接続体および電子機器を、図示の実施形態に基づいて説明したが、本発明はこれらに限定されるものではない。
【０１１６】
例えば、前記実施形態では、光導波路の一端部に光コネクターが装着されているが、他端部にも同様の光コネクターが装着されていてもよく、これとは異なる光コネクターが装着されていてもよい。また、他端部には、光コネクターに代えて、各種の受発光素子が実装されていてもよい。また、前記実施形態には任意の要素が付加されていてもよい。
【符号の説明】
【０１１７】
１        光導波路
５        光コネクター
６        接着剤
９        光配線部品
１０      光配線部品
５０      貫通孔
５０’    溝
５１      コネクター本体
５２      対向面
５３      非対向面
５４ａ    突出部
５４ｂ    突出部
５４ｃ    突出部
５４ｄ    突出部
５４ｅ    突出部
５４ｆ    突出部
５４ｇ    突出部
５４ｈ    突出部
８１      ガイドピン
８２      クランプばね
９１      光導波路
９２      光コネクター
１００    光接続体
１０１    先端部
５０１    下面
５０１ａ  載置面
５０２    上面
５０２ａ  載置面
５１１ａ  ガイド孔
５１１ｂ  ガイド孔
５３１ａ  第１境界部
５３１ｂ  第２境界部
８２１    平板部
８２２ａ  屈曲部
８２２ｂ  屈曲部
【図１】
2018163238.tif 000003
【図２】
2018163238.tif 000004
【図３】
2018163238.tif 000005
【図４】
2018163238.tif 000006
【図５】
2018163238.tif 000007
【図６】
2018163238.tif 000008
【図７】
2018163238.tif 000009
【図８】
2018163238.tif 000010
【図９】
2018163238.tif 000011
【図１０】
2018163238.tif 000012
【図１１】
2018163238.tif 000013
【図１２】
2018163238.tif 000014
【図１３】
2018163238.tif 000015
【図１４】
2018163238.tif 000016